(57)【要約】装置に表示されるようになっている画像にしたがって、選択ドライバがマトリクスの各々の線に選択波形を印加し、データドライバがマトリクスの列に一連の駆動信号（Ｄ）を印加する受動マトリクス電気泳動ディスプレイ（１）について開示している。選択波形は、マトリクスの線のピクチャ要素に印加されるようになっている選択信号（Ｓ）に先行するリセット信号（Ｒ１５Ｒｎ）を有する。リセット信号（Ｒ１）は、それぞれの駆動信号（Ｄ）が画素（２）に印加される前に、マトリクスの線の少なくとも副集合に実質的に同時に印加されることが可能である。代替として、選択波形（リセット信号（ＲＮ）を有する）は、マトリクスの各々の選択された線の画素（２）に印加される駆動信号（Ｄ）と共に、マトリクスの各々の線に連続して印加左列ことが可能であり、次の線はリセットされている。その結果、装置（１）の画像更新時間は短縮される。
2008523420.tif 000002
【特許請求の範囲】
【請求項１】
流体中に帯電粒子を有する電気泳動材料；
複数のピクチャ要素の集合；並びに
各々のピクチャ要素に関連付けられている第１及び第２電極であって、前記帯電粒子は前記第１及び第２電極間の複数の位置の一である位置を占めることが可能であり、前記位置は、少なくとも第１及び第２極端光学状態を有するそれぞれの光学状態に対応する、第１及び第２電極；
を有する電気泳動ディスプレイ装置であって、
前記第１及び第２電極に一連の駆動信号を供給するように備えられている駆動手段であって、各々の駆動信号は、表示されるようになっている画像情報に対応する所定の光学状態を前記粒子が占めるようにする、駆動手段；
を更に有する電気泳動ディスプレイ装置であり：
（ａ）各々のリセット信号は前記粒子が前記極端光学状態の一を占めるようにし、複数の前記のピクチャ要素の集合の各々にリセット信号を実質的に同時に印加し；
（ｂ）続いて、リセット信号が印加された前記のピクチャ要素の集合の１つ又はそれ以上のピクチャ要素を選択し、そしてそのピクチャ要素に駆動信号を印加する；
ことにより、前記電気泳動ディスプレイ装置において表示される画像を更新するための手段；
を更に有する電気泳動ディスプレイ装置。
【請求項２】
請求項１に記載の電気泳動ディスプレイ装置であって、前記電気泳動ディスプレイ装置は受動的に駆動される、電気泳動ディスプレイ装置。
【請求項３】
請求項１に記載の電気泳動ディスプレイ装置であって、受動マトリクス装置を有する、電気泳動ディスプレイ装置。
【請求項４】
請求項１に記載の電気泳動ディスプレイ装置であって、リセット信号は、前記のピクチャ要素の集合の全てに実質的に同時に印加される、電気泳動ディスプレイ装置。
【請求項５】
流体中に帯電粒子を有する電気泳動材料；
複数のピクチャ要素の集合；並びに
各々のピクチャ要素に関連付けられている第１及び第２電極であって、前記帯電粒子は前記第１及び第２電極間の複数の位置の一である位置を占めることが可能であり、前記位置は、少なくとも第１及び第２極端光学状態を有するそれぞれの光学状態に対応する、第１及び第２電極；
を有する電気泳動ディスプレイ装置であって：
前記第１及び第２電極に一連の駆動信号を供給するように備えられている駆動手段であって、各々の駆動信号は、表示されるようになっている画像情報に対応する所定の光学状態を前記粒子が占める、駆動手段；並びに
前記駆動信号が適用されるようになっているピクチャ要素の集合に選択信号を印加するための選択手段であって、前記電気泳動ディスプレイ装置に表示される画像を更新するように、前記選択手段は、それぞれの選択信号の印加に先だって前記のピクチャ要素の集合の１つ又はそれ以上にリセット信号を印加するように備えられ、各々のリセット信号は前記粒子が前記極端光学状態の一を占めるようにする、選択手段；
を更に有する電気泳動ディスプレイ装置。
【請求項６】
請求項５に記載の電気泳動ディスプレイ装置であって、ピクチャ要素の少なくとも副集合は実質的に同時にリセットされ、それに続いて、前記ピクチャ要素のリセットの集合が連続して選択される、電気泳動ディスプレイ装置。
【請求項７】
請求項５に記載の電気泳動ディスプレイ装置であって、リセット信号及び選択信号は、選択信号が印加されている一方、リセット信号が連続してピクチャ要素の他の集合に印加される、各々のそれぞれのピクチャ要素の集合に連続して印加される駆動信号と共に、各々のピクチャ要素の集合に連続して印加される、電気泳動ディスプレイ装置。
【請求項８】
請求項１乃至５の何れ一項に記載の電気泳動ディスプレイ装置であって、前記リセット信号は、それぞれのピクチャ要素において達成可能な最大電圧に少なくとも実質的に等しい電圧を有する、電気泳動ディスプレイ装置。
【請求項９】
請求項８に記載の電気泳動ディスプレイ装置であって、前記リセット信号は、駆動信号と選択信号との間の電圧差に少なくとも実質的に等しい、電気泳動ディスプレイ装置。
【請求項１０】
請求項１乃至５の何れ一項に記載の電気泳動ディスプレイ装置であって、各々のリセット信号は、前記粒子が前記電気泳動ディスプレイ装置の前記ピクチャ要素の全てに関して同じ極端光学状態を占めるようにする、電気泳動ディスプレイ装置。
【請求項１１】
請求項１乃至５の何れ一項に記載の電気泳動ディスプレイ装置であって、前記リセット信号は、前記極端状態間で連続してそれぞれのピクチャ要素を駆動するように、複数の交互に逆になる極性のパルスを有する、電気泳動ディスプレイ装置。
【請求項１２】
請求項１１に記載の電気泳動ディスプレイ装置であって、各々のリセット信号に対応するデータ信号及び選択信号はそれらの最大値と最小値との間で変わる、電気泳動ディスプレイ装置。
【請求項１３】
請求項１１に記載の電気泳動ディスプレイ装置であって、前記リセット信号の最終パルスは、前記リセットパルスの先行するパルスより長い及び／又は高い電圧を有する、電気泳動ディスプレイ装置。
【請求項１４】
請求項１１に記載の電気泳動ディスプレイ装置であって、前記電気泳動ディスプレイ装置への駆動信号の印加は、前記リセット信号の前記最終パルスの印加中に停止される、電気泳動ディスプレイ装置。
【請求項１５】
請求項１乃至５の何れ一項に記載の電気泳動ディスプレイ装置であって、前記リセット信号の電圧は、前記極端光学状態に前記粒子の全てを駆動するために必要な最大電圧より大きい、電気泳動ディスプレイ装置。
【請求項１６】
請求項１乃至５の何れ一項に記載の電気泳動ディスプレイ装置であって、各々のピクチャ要素に関連付けられた第３電極を有する、電気泳動ディスプレイ装置。
【請求項１７】
請求項１６に記載の電気泳動ディスプレイ装置であって、前記第３電極は、非選択ピクチャ要素において粒子の動きを抑えるように備えられている、電気泳動ディスプレイ装置。
【請求項１８】
電気泳動ディスプレイ装置を駆動する方法であって：
流体中に帯電粒子を有する電気泳動材料；
複数のピクチャ要素の集合；並びに
各々のピクチャ要素に関連付けられている第１及び第２電極であって、前記帯電粒子は前記第１及び第２電極間の複数の位置の一である位置を占めることが可能であり、前記位置は、少なくとも第１及び第２極端光学状態を有するそれぞれの光学状態に対応する、第１及び第２電極；
を有する方法であって、
前記第１及び第２電極に一連の駆動信号を供給する段階であって、各々の駆動信号は、表示されるようになっている画像情報に対応する所定の光学状態を前記粒子が占めるようにする、段階；
を有する方法であり：
（ａ）各々のリセット信号は前記粒子が前記極端光学状態の一を占めるようにし、複数の前記のピクチャ要素の集合の各々にリセット信号を実質的に同時に印加し；
（ｂ）続いて、リセット信号が印加された前記のピクチャ要素の集合の１つ又はそれ以上のピクチャ要素を選択し、そしてそのピクチャ要素に駆動信号を印加する；
ことにより、前記電気泳動ディスプレイ装置において表示される画像を更新する段階；
を更に有する方法。
【請求項１９】
請求項１に記載の電気泳動ディスプレイ装置を駆動するための駆動手段であって、前記駆動手段は、第１電極及び第２電極に一連の駆動信号を供給するように備えられ、各々の駆動信号は、表示されるようになっている画像情報に対応する所定の光学状態を粒子が占めるようにし、前記電気泳動ディスプレイ装置に表示される画像を更新するための手段は：
（ａ）各々のリセット信号は前記粒子が前記極端光学状態の一を占めるようにし、複数の前記のピクチャ要素の集合の各々にリセット信号を実質的に同時に印加し；
（ｂ）続いて、リセット信号が印加された前記のピクチャ要素の集合の１つ又はそれ以上のピクチャ要素を選択し、そしてそのピクチャ要素に駆動信号を印加する；
ことによる、駆動手段。
【請求項２０】
電気泳動ディスプレイ装置を駆動する方法であって：
流体中に帯電粒子を有する電気泳動材料；
複数のピクチャ要素の集合；
各々のピクチャ要素に関連付けられている第１及び第２電極であって、前記帯電粒子は前記第１及び第２電極間の複数の位置の一である位置を占めることが可能であり、前記位置は、少なくとも第１及び第２極端光学状態を有するそれぞれの光学状態に対応する、第１及び第２電極；
を有する方法であって、
前記第１及び第２電極に一連の駆動信号を供給する段階であって、各々の駆動信号は、前記粒子が表示されるようになっている画像情報に対応する所定の光学状態を占めるようにする、段階；並びに
前記駆動信号が印加されるピクチャ要素の集合に選択信号を有する選択波形を印加する段階であって、前記選択波形は、それぞれの選択信号の印加に先だって、前記のピクチャ要素の集合の１つ又はそれ以上に印加されるようになっているリセット信号を更に有し、各々のリセット信号は、前記粒子が前記極端光学状態の一を占めるようにする、段階；
を有する方法。
【請求項２１】
請求項５に記載の電気泳動ディスプレイ装置を駆動するための駆動手段であって：
前記駆動手段は、前記第１及び第２電極に一連の駆動信号を供給するためのデータドライバであって、各々の駆動信号は、前記粒子が表示されるようになっている画像情報に対応する所定の光学状態を占めるようにする、データドライバ；並びに
前記駆動信号が印加されるようになっているピクチャ要素の集合に選択信号を有する選択波形を印加するための選択ドライバであって、前記選択波形は、それぞれの選択信号の印加に先だって、前記のピクチャ要素の集合の１つ又はそれ以上に印加されるようになっているリセット信号を更に有し、各々のリセット信号は前記粒子が前記極端光学状態の一を占めるようにする、選択ドライバ；
を有する駆動手段。
【発明の詳細な説明】
【技術分野】
【０００１】
本発明は、流体中の帯電粒子を有する電気泳動材料と、複数のピクチャ要素と、各々のピクチャ要素と関連付けられている第１及び第２電極と、前記電極に一連の駆動信号を供給するように備えられている駆動手段と、を有する電気泳動ディスプレイ装置であって、帯電粒子は、前記第１及び第２電極間の複数の位置の一である位置を占めることができ、前記位置は前記ディスプレイ装置のそれぞれの光学状態に対応し、各々の駆動信号は、前記粒子が表示される画像情報に対応する所定の光学状態を占めるようにする、電気泳動ディスプレイ装置に関する。
【背景技術】
【０００２】
電気泳動ディスプレイは、ピクチャを表示するように、流体中に帯電粒子を有する電気泳動媒体と、マトリクス状に配列された複数のピクチャ要素（画素）と、各々の画素に関連付けられた第１及び第２電極と、印加される電位差の値及び期間に応じて、帯電粒子が電極間の位置を占めるように各々の画素の電極に電位差を印加するための電圧ドライバと、を有する。
【０００３】
更に詳細には、電気泳動ディスプレイ装置は、交差するデータ電極と選択電極の交差部分に関連付けられる画素のマトリクスによるマトリクスディスプレイである。階調、即ち、画素の発色レベルは、特定のレベルの駆動電圧が画素において存在する時間に依存する。これはまた、画素に適用されるエネルギー（＝電圧ｘ時間）と呼ばれる。駆動時間の極性に依存して、画素の光学状態は、その現在の光学状態から２つの極限状態（即ち、極端状態）の一の方に連続して変化し、例えば、帯電粒子の一の種類は画素の上部又は底部近傍にある。中間光学状態、例えば、単色ディスプレイにおける階調は、電圧が画素において存在する時間を制御することにより得られる。
【０００４】
通常、画素の全ては、選択電圧に適切な電圧を印加することにより線毎に選択される。データは、選択線に関連する画素にデータ電極を介して並列に供給される。
【０００５】
図１及び２は、第１基板８と、対向する第２基板９と、複数のピクチャ要素２とを有するディスプレイパネル１の例示としての実施形態を示している。一実施形態においては、ピクチャ要素２は、二次元構造において実質的に直線に沿って配置されることが可能である。
【０００６】
流体中に帯電粒子を有する電気泳動媒体５は基板８、９間に存在する。第１電極３及び第２電極４は、電位差を受け入れるように各々のピクチャ要素２に関連付けられている。図２に示されている配置においては、第１基板８は、各々のピクチャ要素２について第１電極３を有し、第２基板９は、各々のピクチャ要素２について第２電極４を有するが、代替として、両方の電極は、同じ基板において位置付けられ、基板面において電場を生成するように横方向に分離されることが可能である。帯電粒子６は、電極３、４の近傍の極端位置及び電極３、４間の中間位置を占めることができる。各々のピクチャ要素２は、電極３、４間の帯電粒子６の位置により決定されるアピアランスを有する。
【０００７】
電気泳動媒体自体については、例えば、米国特許第５，９６１，８０４号明細書、米国特許第６，１２０，８３９号明細書及び米国特許第６，１３０，７７４号明細書に記載されていて、例えば、Ｅ−Ｉｎｋ  Ｃｏｒｐｏｒａｔｉｏｎ製のものがある。例としては、電気泳動媒体５は、白色流体中の負に帯電した黒色粒子６を有する。帯電粒子６が第１極端位置にある、即ち、第１電極３の近傍にあるとき、例えば、１５Ｖの電極３、４に印加された電位差の結果として、ピクチャ要素２のアピアランスは、ピクチャ要素２が第２基板９の側から見られる場合には、白色である。
【０００８】
帯電粒子６が第２極端位置にある、即ち、第２電極４の近傍にあるとき、例えば、−１５Ｖの電極３、４に印加された電位差の結果として、ピクチャ要素２のアピアランスは黒色である。帯電粒子６が中間位置にある、即ち、電極３、４の間にあるとき、ピクチャ要素２は、複数の中間アピアランスの一、例えば、黒色と白色の間の階調である薄い灰色、中間の灰色及び濃い灰色を有する。
【０００９】
典型的な受動マトリクスアドレス指定においては、図３に示しているように、（直交している）選択行及びデータ列に沿って同時に一つの線の画素を順次に走査することにより、駆動信号がディスプレイに導入される。行ドライバ（図示せず）は、アドレス指定される線の底部電極３に適切な選択パルスを供給する一方、データ電圧が、画素に供給されるように列電極４に供給される。画素電圧は、選択電圧とデータ電圧との間の差である。
【００１０】
駆動信号は、図３ａの詳細図に示されているように、上部電極４と底部電極３との間に直交電場Ｅを生成し、画素に印加される駆動電圧は、光学状態における変化、即ち、効果を現すように必要とされる画像遷移に応じて、正、負又は０であることが可能である。この場合、ゼロ電圧は、通常、画像遷移がない（即ち、光学状態における変化がない）ことが有効である必要がある場合に、印加される。
【００１１】
線がもはやアドレス指定されないとすぐ、その線の上部電極４と底部電極３との間の電場は、例えば、駆動される粒子系に対して固有の動きのための閾値電圧、又は画素において更なる電極を用いて電場バリアを付加することにより他に導入される閾値以下のレベルに電場Ｅを低減させることにより、粒子が移動するレベルに低減される。故に、線がアドレス指定されるときにのみ、粒子は動き、新しい画像が表示されるために必要な時間毎に、ディスプレイのアドレス指定を完了するために比較的長い時間を必要とする。
【００１２】
米国特許出願公開２００３／００８１３０５Ａ１号明細書においては、上記のように、受動マトリクス駆動スキームを用いる電気泳動ディスプレイについて記載されていて、それにより、新しい画像が表示されるために必要な時間毎に、表示は、アドレス指定される行の画素を有する一行が同時に更新され、他の行の画素は変化されないまま維持されるように、更新される。新しい画像の品質を最高化し、特に、画像残像量を制限するように、駆動スキームにリセットを導入することは有利であり、米国特許出願公開２００３／００８１３０５Ａ１号明細書において、画像更新の間に、各々の行の画素の全ては、先ず、リセットされ、帯電粒子は、ディスプレイの極端光学状態の一にあり又はその近傍にあり、それに後続して、アドレス指定される線の画素は、その場合、好ましい光学状態に駆動される。
【００１３】
一般には、しかしながら、駆動スキームのリセット部分は、駆動されている部分よりかなり長く続く。したがって、駆動信号（リセット部分を有する）がディスプレイに連続的、同時に一つの線の表示に対して印加される、従来技術の上記の構成においては、信号の駆動部分が適用される前に各々の列がリセットされる間に、著しい遅延がもたらされ、その結果、許容できない長い画像更新時間がもたらされる。
【特許文献１】米国特許第５，９６１，８０４号明細書
【特許文献２】米国特許第６，１２０，８３９号明細書
【特許文献３】米国特許第６，１３０，７７４号明細書
【特許文献４】米国特許出願公開２００３／００８１３０５Ａ１号明細書
【発明の開示】
【発明が解決しようとする課題】
【００１４】
それ故、本発明の目的は、減少された画像更新時間を有する一方、尚もリセット機能を維持する受動マトリクス電気泳動ディスプレイ及びそれを駆動する方法を提供することである。
【課題を解決するための手段】
【００１５】
それ故、本発明の第１特徴にしたがって、流体において帯電粒子を有する電気泳動材料と、ピクチャ要素の複数の集合と、各々のピクチャ要素に関連付けられている第１及び第２電極と、を有する電気泳動ディスプレイ装置を備え、帯電粒子は前記電極間の複数の位置の一である位置を占めることができ、それぞれの光学状態に対応する前記位置は少なくとも第１及び第２極端光学状態を有し、その装置は、前記電極に一連の駆動信号を供給するように備えられた駆動手段であって、各々の駆動信号は、前記粒子が表示される画像情報に対応する特定の光学状態を占めるようにする、その装置は、
ａ）各々のリセット信号が前記粒子が前記極端光学状態の一を占めるようにする、ピクチャ要素の複数の前記集合の各々にリセット信号を実質的に同時に印加することと、
ｂ）リセット信号が印加されたピクチャ要素の前記集合の１つ又はそれ以上のピクチャ要素を続いて選択し、それに駆動信号を印加することと、
により、前記装置に表示される画像を更新するための手段を更に有する。
【００１６】
それ故、リセット信号は、行電極の少なくとも副集合に実質的に同時に印加されるため（上記実施形態を参照するに）、画像更新時間は従来技術に比較して減少される。
【００１７】
駆動手段は、好適には、受動駆動手段を有し、その装置は、好適には、受動マトリクスディスプレイ装置である。
【００１８】
例示としての第１実施形態においては、リセット信号は、ピクチャ要素の集合の全てに実質的に同時に適用されることが可能である。即ち、ピクチャ要素がアレイのマトリクス状に配置される場合、リセット信号は、ディスプレイ装置のピクチャ要素の各々の行又は列に実質的に同時に印加されることが可能である。
【００１９】
本発明の第２特徴にしたがって、流体において帯電粒子を有する電気泳動材料と、ピクチャ要素の複数の集合と、各々のピクチャ要素に関連付けられている第１及び第２電極とを有する電気泳動ディスプレイ装置を備え、帯電粒子は前記電極間の複数の位置の一である位置を占めることができ、それぞれの光学状態に対応する前記位置は少なくとも第１及び第２極端光学状態を有し、その装置は、前記電極に一連の駆動信号を供給するように備えられた駆動手段であって、各々の駆動信号は、前記粒子が表示される画像情報に対応する特定の光学状態を占めるようにする、駆動手段と、前記駆動信号が印加されるようになっているピクチャ要素の集合に選択信号を印加するための選択手段であって、前記装置に表示される画像を更新するように、前記選択手段は、それぞれの選択信号の印加に先だってピクチャ要素の前記集合の１つ又はそれ以上にリセット信号を印加するように備えられ、各々のリセット信号は前記粒子が前記極端光学状態の一を占めるようにする、選択手段と、を有する。
【００２０】
それ故、駆動及びリセット機能が別個に備えられて、適用されるために、ピクチャ要素の一部の集合（即ち、上記の実施例における線）はデータ駆動されることが可能である一方、他の集合はリセットされ、それにより、再度、従来技術に比較して、画像更新時間は減少される。
【００２１】
例示としての第１実施形態においては、ピクチャ要素の（少なくとも）副集合の集合（又は、線）の全ては実質的に同時にリセットされることが可能であり、それに後続して、そのリセットされるピクチャ要素の集合は連続的に選択されることが可能である。代替として、リセット信号及び選択信号はピクチャ要素の各々の集合に連続的に印加されることが可能であり、駆動信号は、選択信号が印加されるピクチャ要素の各々のそれぞれの集合に連続的に印加され、リセット信号は、連続的にピクチャ要素の他の集合に印加される。どちらの場合においても、駆動信号は、ピクチャ要素の集合の１つ又はそれ以上に印加される一方、１つ又はそれ以上画素の他の集合はリセットされる。
【００２２】
本発明の第１特徴は、流体中に帯電粒子を有する電気泳動材料と、ピクチャ要素の複数の集合と、各々のピクチャ要素に関連付けられている第１及び第２電極と、を有する電気泳動ディスプレイ装置を駆動する方法であって、帯電粒子は前記電極間の複数の位置の一にある位置を占めることができ、前記位置は、少なくとも第１及び第２極端光学状態を有するそれぞれの光学状態に対応し、その方法は、前記電極に一連の駆動信号を供給する段階を有し、各々の駆動信号は、前記粒子が表示される画像情報に対応する所定の光学状態を占めるようにし、その方法は、
ａ）各々のリセット信号が前記粒子が前記極端光学状態の一を占めるようにする、ピクチャ要素の複数の前記集合の各々にリセット信号を実質的に同時に印加することと、
ｂ）リセット信号が印加されたピクチャ要素の前記集合の１つ又はそれ以上のピクチャ要素を続いて選択し、それに駆動信号を印加することと、
により、前記装置に表示される画像を更新する段階を更に有する、方法に及ぶ。
【００２３】
本発明の第１特徴は、上記のように、電気泳動ディスプレイ装置を駆動するための駆動手段であって、その駆動手段は、前記電極に一連の駆動信号を供給するように備えられ、各々の駆動信号は、前記ピクチャが表示される画像を更新するための手段及び表示される画像情報に対応する所定の光学状態を占めるようにする、駆動手段と、
ａ）各々のリセット信号が前記粒子が前記極端光学状態の一を占めるようにする、ピクチャ要素の複数の前記集合の各々にリセット信号を実質的に同時に印加することと、
ｂ）リセット信号が印加されたピクチャ要素の前記集合の１つ又はそれ以上のピクチャ要素を続いて選択し、それに駆動信号を印加することと、
により、前記装置に表示される画像を更新するための手段である、駆動手段に更に及ぶ。
【００２４】
本発明の第２特徴は、流体中に帯電粒子を有する電気泳動材料と、ピクチャ要素の複数の集合と、各々のピクチャ要素に関連付けられている第１及び第２電極と、を有する電気泳動ディスプレイ装置を駆動する方法であって、帯電粒子は前記電極間の複数の位置の一にある位置を占めることができ、前記位置は、少なくとも第１及び第２極端光学状態を有するそれぞれの光学状態に対応し、その方法は、前記電極に一連の駆動信号を供給する段階と、前記駆動信号が印加されるようになっているピクチャ要素の集合に選択信号を有する選択波形を適用する段階と、を有し、前記選択波長は、それぞれの選択浸透を印加することに先行してピクチャ要素の前記集合の１つ又はそれ以上に印加されるようになっているリセット信号であって、各々のリセット信号は、前記粒子が前記極端光学状態の一を占めるようにする、リセット信号を更に有する、方法に及ぶ。
【００２５】
本発明の第２特徴は、上記のような電気泳動ディスプレイ装置を駆動するための駆動手段であって、その駆動手段は前記電極に一連の駆動信号を供給するためのデータドライバを有し、各々の駆動信号は、前記粒子が表示されるようになっている画像情報に対応する所定の光学状態を占めるようにする、駆動手段と、前記駆動信号が印加されるようになっているピクチャ要素の集合に選択信号を有する選択波形を適用するための選択ドライバであって、前記選択波形は、それぞれの選択信号の印加に先だってピクチャ要素の前記集合の１つ又はそれ以上に印加されるようになっているリセット信号を更に有し、各々のリセット信号は、前記粒子が前記極端光学状態の一を占めるようにする、選択ドライバと、に更に及ぶ。
【００２６】
好適には、本発明の第１及び第２特徴の両方に関して、リセット信号は、それぞれのピクチャ要素において達成可能な最も大きい電圧に少なくとも実質的に等しい電圧を有する。例示としての一実施形態においては、好ましいリセット電圧は、好適には、駆動（又は、データ）信号と選択信号との間の電圧差に実質的に等しい。この結果、リセット機能は、最も速い有効時間で実行されることが可能である。
【００２７】
好適な実施形態においては、その装置は、各々のピクチャ要素と関連付けられている第３電極を有し、その第３電極は、好適には、非選択ピクチャ要素における粒子の動きを回避するように備えられている。
【００２８】
好適には、各々のリセット信号は、前記粒子が前記ディスプレイのピクチャ要素の全てに関して同じ極端光学状態を占めるようにし、その結果、選択電圧は全体の表示について最適化されることが可能である。
【００２９】
例示としての一実施形態においては、各々のリセット信号は、極端光学状態間でそれぞれのピクチャ要素を連続して駆動するように、交互に逆になる極性の複数のパルスを有することが可能である。この場合、両方の光学状態に対するリセットが最大ピクチャ要素電圧で実行されることを確実にするように、対応するデータ信号及び選択信号は、好適には、それらの最大値と最小値との間で交互に繰り返す。リセット信号の最後のパルスは、駆動信号の印加に先だって、粒子が適切にオーバーリセット（それ故、適切に規定された極端状態において）されることが確実であるように、先行するリセット信号のパルスより長いこと及び／又は大きい電圧を有することが可能である。代替として又は付加的に、ディスプレイに対する駆動信号の印加は、それぞれの粒子が適切に規定された方式でリセットされることを確実にするように、リセット信号の最後のパルスの印加の間に停止されることが可能である。
【００３０】
上記の全ての場合、リセット電圧の大きさ及び／又は期間は、好適には、オーバーリセットが画像残像を低減させる上で有用であるように、前記極端光学状態に対して前記粒子の全てを駆動するために必要な最大電圧より大きい。
【００３１】
本発明の上記の及び他の特徴は、以下に詳述する実施形態から明らかになり、それらから理解することができる。
【００３２】
本発明の実施形態については、以下、添付図を参照して、単に例示として説明する。
【発明を実施するための最良の形態】
【００３３】
本発明の例示としての第１実施形態にしたがって、受動マトリクスディスプレイについての全画像更新時間を短縮する一方法は、新しい画像を書き込むに先だってディスプレイの完全なリセットを導入することである。そのようなリセットは、図４を参照するに、受動マトリクスの選択線全てを同時に活性化し、データ線全てに同じリセット電圧Ｒ１を印加することにより実現される。このフェーズにおいては、データドライバは、リセット中に最大画素電圧に対して（データに依存しない）電圧ＲＤに設定される。それ故、マトリクスの行の全ては実質的に同時にリセットされる。
【００３４】
ディスプレイにおける画素全てが極端光学状態の一にリセットされる場合に、リセットは何れの規定されたパターンに対するものである。リセットパターンの実施例においては、フル白色又はフル黒色スクリーンであるが、交互のデータ線を有するパターンが黒色及び白色のストライプパターン（ディスプレイは、通常の視認距離から見るときには、中間の灰色であるように現れる）に設定される。
【００３５】
一般に、リセット電圧は、リセット電圧が印加されているときに、画素の光学状態に拘わらず、それぞれの画素を極端光学状態の一に駆動するに十分である必要がある。例えば、リセット電圧は、フル白色の状態からフル黒色のリセット状態（単色ディスプレイにおいて）に画素を（少なくとも）駆動するに十分である必要がある。好適には、リセット電圧Ｒ１は、データ電圧Ｄと選択電圧Ｓとの間の差として与えられるこの場合に、画素において達成可能である最大有効電圧に設定される。このことは、リセットができるだけ高速に実行されることを確実にする。このために、交互の線を２つの極端光学状態にリセットすることは減少したリセット電圧をもたらすため、フル白色か又はフル黒色のどちらかに全体のマトリクスをリセットすることが好ましい（選択電圧は、両方のリセット駆動電位について同時に最適化されることはできないため）。
【００３６】
他の実施形態においては、リセットは、非選択電圧に全ての選択電極を設定し、粒子を動かすための閾値電圧を上回るデータ電極にリセット信号を供給することにより実現されることが可能である。
【００３７】
例示としての他の実施形態においては、図５を参照するに、リセットは、極端光学状態、例えば、黒色（リセット１）−白色（リセット２）、黒色−白色の極端光学状態間で全表示を連続して駆動する、一連のリセット信号を有することが可能である。好適には、両方のデータ（Ｄ）及び選択（Ｓ）電圧は、図５に示しているように、リセットから黒色及びリセットから白色の両方が最大画素電圧で実行されることを確実にする最大値と最小値との間で交互に繰り返される。
【００３８】
図４及び５をそれぞれ参照して上記した両方の実施形態においては、リセットが終了した後、次の画像が、短い駆動パルスＤのみを使用して、一時に１つの線で導入される。このことは、上記の従来技術の構成に比較して速い画像更新をもたらす。
【００３９】
図４及び５を参照して上記した全体リセットに関する一問題は、前画像がすぐに完全に消去され、新しい画像のみが比較的ゆっくり構築される（即ち、一時に１つの線）ことである。このことは、考慮される時間期間について、本発明のこの例示としての実施形態にしたがった電気泳動ディスプレイを構成する符号は、何れの情報を表さないことを意味する。ある状況においては、例えば、広告が時間帯毎に変えられる場合、このことはかなり不利である。
【００４０】
ディスプレイが継続して情報を示す一方、受動マトリクスディスプレイについて、前画像更新時間を尚も減少させることを確実にする一方法は、ディスプレイの走査リセットを導入することである。この場合、前画像は、ディスプレイにおいてリセットパルス及び駆動パルスをスクリールすることにより新画像にスムーズに変わることが可能である。
【００４１】
そのような走査リセットは、一時に１つの線で、ディスプレイの選択線に対してリセット駆動波形（リセット部分＋駆動部分）を同時に導入することにより、標準的な受動マトリクスアドレス指定（例えば、上記の米国特許出願公開２００３／００８１３０５Ａ１号明細書について記載しているように）において達成される。しかしながら、上記のように、この駆動スキームの結果として、新しい画像についての駆動信号が導入され、その駆動信号が順に、かなり遅い画像更新処理をもたらす前に、各々の線がリセットされるまで待機することが必要である。
【００４２】
本発明の更なる例示としての実施形態においては、それ故、受動マトリクスの選択線の副集合に実質的に同時にリセットを適用されることが与えられる。この方式においては、低減された走査リセットを導入する一方、従来技術の構成に対して画像更新時間をかなり減少させることが可能である。
【００４３】
それ故、本発明の例示としての第３実施形態においては、図６に模式的に示しているように、画像更新の走査リセット部分及びデータ駆動部分を完全に分離することが与えられる。この場合、画像更新は次のように進められる。
●  リセット電圧（ＲＮ，ＲＮ＋１，ＲＮ＋２，．．．，ＲＭ）が、全ての画素が極端光学状態の一に達するまで、選択線の副集合Ｍに印加される。このフェーズの間に、データドライバは、上記のように、リセット中に画素電圧を最大化するように、（データに依存しない）電圧ＲＤに設定される。それらの選択線（ＲＮ，ＲＮ＋１，ＲＮ＋２，．．．，ＲＭ）は、それ故、同時にリセットされる。
●  新しい画像は、一時にそれらの線の一を選択し、通常の方式で駆動電圧Ｄを印加することにより選択制の同じ副集合に書き込まれる。
【００４４】
画像更新時間は、ここでは、同時にリセットされる線の数に依存する量だけ。従来技術に比較して減少される。
【００４５】
例示としての第４実施形態においては、画像更新の走査リセット部分及びデータ駆動部分を（少なくとも一部において）組み合わせることが与えられ、即ち、１つ又はそれ以上の線が印加される駆動電圧を有することが可能である一方、他の線は、データを駆動するための準備にあたり、リセットされることが可能である。アドレス指定は、一時に線で、又は、適切な時間に同じ点でリセットされる選択線の副集合によって実行されることが可能である。どちらの場合においても、画像更新処理は次のように進められる。
１．データドライバは画像更新期間に亘って動作し、データ線に対して連続してデータ信号を印加する。
２．各々の選択線は、ここで、図７も模式的に示すように、選択部分Ｓにより後続されるリセット部分（ＲＮ，ＲＮ＋１，ＲＮ＋２，．．．，ＲＭ）を有する。
３．リセット電圧（ＲＮ，ＲＮ＋１，ＲＮ＋２，．．．，ＲＭ）は、（未知の）データ信号Ｄと組み合わせて、画素電圧が、同じ極性及び画素閾値電圧を上回るレベルを維持するように高く選択される。
４．リセットは、全ての画素が極端光学状態の一に達するまで、選択された線（Ｎ，Ｎ＋１，Ｎ＋２，．．．，Ｍ）（の副集合Ｍ）に適用される。
５．その線における画素全てがリセットされることを確実にするように、画像リセット時間は、最小有効電圧（即ち、リセット電圧に最も近いデータ電圧を有する）を有する画素がリセット位置に達することができるように、理想的に選択される。その結果、他の画素全ては、極端位置に達する必要があるよりハードなリセットを受け入れる。このことは、オーバーリセットの状態を表すが、粒子は、極端位置に達するとすぐに、もはや動かなくなるため、損傷を与えない。実際には、オーバーリセットの特定の量は画像残像を減少させる助けになることが観測され、それ故、リセット期間を増加させることは上記を更に上回り、有利である。
６．リセットの終了後に、低い選択電圧Ｓが、選択期間中、駆動電圧Ｄ（データ電圧）を印加することにより選択された線に対して書き込まれる。ディスプレイにおける後続の線はリセットされるように、それらのデータパルスが存在することに留意されたい。
７．選択後、選択信号Ｓは非選択レベルに戻される。
【００４６】
この実施形態においては、図８に示すように、リセット部分ＲＮを実行することにより、黒色−白色−黒色−白色等に対して繰り返してリセットを与えることがまた、可能である。これは、画像における画像残像の量を低減する有利点を有する。
【００４７】
本発明の他の例示としての実施形態においては、図９を参照するに、リセット部分ＲＮの最終のリセットパルスＲＸは、先行する部分より強くなっている（即ち、長い及び／又は高い電圧を有して）。このことは、粒子が、データ駆動パルスＤが印加される前に、適切にオーバーリセットされる（それ故、適切に規定された極端状態にある）ことが確実にされる。
【００４８】
他の実施形態においては、データ信号は、最終のリセットパルスＲＸの印加中に停止されることが可能である。このことは、適切に規定された方式でリセットされることを確実にする。それ故、最終のリセットパルスＲＸ（及び関連駆動）は、図６を参照して説明した実施形態にしたがって処理される。
【００４９】
上記の実施形態は、面内スイッチングモード（溶剤中に分散しているのと電極に保持されているのとの間で切り替えられる粒子）か又は縦方向切り替えモード（上記のように、上部電極と下部電極との間で切り替えられる粒子）のどちらかで動作する受動マトリクス電気泳動ディスプレイに同様に適用可能である。
【００５０】
更に、上記の実施形態は、セグメント化ディスプレイのような受動的に駆動される非マトリクスディスプレイに対して同様に適用可能であり、その場合、セグメント化は多重に駆動可能である（即ち、全てのセグメントは個別に駆動されないが、一部のセグメントは同じデータドライバから時系列的に駆動され、選択電極により連続して活性化される）。
【００５１】
更に、本発明の上記の説明においては、画素当たり２つの電極のみを有する画素構造に焦点を当てているが、本発明においては、粒子の動きを改善する又は抑制するように、付加電極を画素に対して導入する画素構造に同様に提要することが可能である。例示として、面内構成において、付加（共通）電極を、リセット後に粒子が蓄積される、隠された（リザーバ）電極として導入されることが可能である。この場合、リザーバ電極における粒子は、選択電極によりデータ電極から分離されることが可能であり、その選択電極は、リザーバ電極からデータ電極への粒子の動きを抑えるための静電バリア、実際には、画素の選択線として機能する。
【００５２】
上記の実施形態は例示であって、本発明を限定するものではなく、当業者は、同時提出の特許請求の範囲に記載されている本発明の範囲から逸脱することなく、多くの変形の実施形態を設計することができることに留意する必要がある。用語“を有する”又はその用語からの派生語は、全体としての明細書又は何れの請求項に記載されている要素又は段階以外の要素又は段階の存在を排除するものではない。要素の単数表現は、その要素の複数の存在を排除するものではなく、その逆もまた真である。本発明は、複数の別個の要素を有するハードウェアにより、及び適切にプログラムされたコンピュータにより実施されることが可能である。複数の手段を挙げている装置請求項において、それらの手段の幾つかは、ハードウェアについて同一のアイテムにより実施されることが可能である。特定の手段が互いに異なる独立請求項に記載されているということは単に、それらの手段の組み合わせが有利に用いられないことを意味するものではない。
【図面の簡単な説明】
【００５３】
【図１】電気泳動ディスプレイパネルの模式的平面図である。
【図２】図１の線ＩＩ−ＩＩに沿った模式的断面図である。
【図３】上部電極と底部電極との間に所定の電場を生成するための代表的な受動マトリクスディスプレイ装置のレイアウトの模式図である。
【図３ａ】図３のＡ部分の詳細を示す図である。
【図４】本発明の例示としての第１実施形態にしたがった電気泳動ディスプレイに関する駆動波形及び選択波形を示す図である。
【図５】本発明の例示としての第２実施形態にしたがった電気泳動ディスプレイに関する駆動波形及び選択波形を示す図である。
【図６】本発明の例示としての第３実施形態にしたがった電気泳動ディスプレイに関する駆動波形及び選択波形を示す図である。
【図７】本発明の例示としての第４実施形態にしたがった電気泳動ディスプレイに関する駆動波形及び選択波形を示す図である。
【図８】本発明の例示としての第５実施形態にしたがった電気泳動ディスプレイに関する駆動波形及び選択波形を示す図である。
【図９】本発明の例示としての第６実施形態にしたがった電気泳動ディスプレイに関する駆動波形及び選択波形を示す図である。
【図１】
2008523420.tif 000003
【図２】
2008523420.tif 000004
【図３】
2008523420.tif 000005
【図３ａ】
2008523420.tif 000006
【図４】
2008523420.tif 000007
【図５】
2008523420.tif 000008
【図６】
2008523420.tif 000009
【図７】
2008523420.tif 000010
【図８】
2008523420.tif 000011
【図９】
2008523420.tif 000012
【国際調査報告】
2008523420.tif 000013
2008523420.tif 000014
2008523420.tif 000015